(57)【要約】      （修正有）【課題】  ローディング機構部の機構上の制約により、自動的に位置決めすることができない位置、特に連続帳票用紙の先端近傍への位置決めができない場合でも、手作業による調整をすることなく、自動的に各単位用紙の先端基準によるプリントを実行する。【解決手段】  連続帳票用紙１２をオートローディングすると、その停止位置が、用紙先端基準によるプリント要求があったときの書き出し開始位置よりも下流側となっている場合（書き出し位置が記録ヘッド２４を通過している場合）、この１枚目の単位用紙を破棄し、２枚目の先端であるミシン目を基準として位置決めするべく、通常の改ページの移動量Ｌnormalから、オートローディング時の連続帳票用紙１２の先端と停止位置との差分Δを差し引いた移動量Ｌfirstで改ページを実行する。これにより、２枚目の単位用紙では、書き出し位置が記録ヘッド２４の上流側となるため、先端基準要求に対応することができる。【選択図】    図３
2007083618.tif 000002
【特許請求の範囲】
【請求項１】
単位用紙が連結された長尺の連続帳票用紙を、当該連続帳票用紙の長手方向搬送路に沿って搬送する搬送手段と、
前記連続帳票用紙を搬送手段の搬送路へセットするためのローディング機構部と、
前記ローディング機構部におけるローディング時に、連続帳票用紙の先端よりも所定量下流側を停止基準位置としてローディング動作を制御するローディング実行手段と、
前記連続帳票用紙の各単位用紙の基準位置を検出する基準位置検出センサと、
前記搬送路における前記基準位置検出センサよりも下流側に設けられた記録ヘッドとを備え、
前記基準位置検出センサによって前記基準位置の検出時期に基づいて、前記記録ヘッドによる画像記録を実行し、改ページを繰り返しながら各単位用紙に画像を記録するプリンタ装置であって、
前記基準位置検出センサによる前記基準位置が各単位用紙の先端である場合に、前記ローディング機構部によるローディング後に、通常の改ページの移動量から前記所定量を減算した移動量で改ページを実行する初期改ページ実行手段を有するプリンタ装置。
【請求項２】
前記ローディング実行手段によるローディング動作による連続帳票用紙の移動と、前記初期改ページ実行手段による連続帳票用紙の移動と、が連続して実行されることを特徴とする請求項１記載のプリンタ装置。
【請求項３】
前記ローディング実行手段によるローディング動作による連続帳票用紙の移動を行い、その状態を保持したまま次のインターフェースからの印刷指示を待ち、最初の印刷指示の位置により、前記初期改ページ実行手段による連続帳票用紙の移動をさせるか、改ページをさせずに最初の用紙搬送時減算した移動量で搬送することを特徴とする請求項１記載のプリンタ装置。
【発明の詳細な説明】
【技術分野】
【０００１】
本発明は、単位用紙が連結された長尺の連続帳票用紙を、当該連続帳票用紙の長手方向搬送路に沿って搬送し、基準位置検出センサによって前記基準位置の検出時期に基づいて、前記記録ヘッドによる画像記録を実行し、改ページを繰り返しながら各単位用紙に画像を記録するプリンタ装置に関するものである。
【背景技術】
【０００２】
従来、連続帳票用紙は、その長手方向の所定ピッチ毎に、所謂ミシン目が施され、このミシン目に沿って切り取ることで、複数枚のカット紙となる構造となっている。
【０００３】
この連続帳票用紙を用いたプリンタ装置では、当該連続帳票用紙の先端をローディングし、後は所定の搬送路に沿って搬送することで、カット紙とは異なりトレイから毎回取り出す（枚葉）必要がない。
【０００４】
当該プリンタ装置は、連続帳票用紙の搬送路途中に記録ヘッドが対向配置されており、連続帳票用紙に設けられた基準マークを検出することで、記録ヘッドによる画像記録タイミングを得て、画像記録が実行される。
【０００５】
ここで、最初に連続帳票用紙を装置にセットするとき（すなわち、ローディング時）は、ローディング機構の制約上、記録ヘッドに対応する位置が、連続帳票用紙の先端よりも所定量下流側の位置となる（図５に示す自動ローディング停止位置）。通常のローディング動作は、用紙の搬送部（モータ等）を使用して用紙を搬入し、用紙先端検出センサにより用紙が記録ヘッド部に搬入されたことを確認して用紙搬送動作を停止することで実現している。
【０００６】
一方、プリントの要求として、連続帳票用紙の各カット紙の先端が基準（図５に示すプリント書き出し位置が極めて先端に近い）の場合がある。このような場合、前記自動ローディング停止位置（先頭位置）は、連続帳票用紙の先端位置から所定量下流側となっているため、従来は手作業で連続帳票用紙を後退させる必要があった。
【０００７】
なお、ローディング機構に関しての従来技術としては、特許文献１に記載の技術が開示されている。
【特許文献１】特開昭６３−１８９２７３号公報
【発明の開示】
【発明が解決しようとする課題】
【０００８】
しかしながら、特許文献１に記載の従来技術では、基本的にローディグの際の移動量の補正について記載されているが、ローディングの機構上、補正できない場合についての記載は一切ない。従って、上記のような機構上の制約を逸脱した位置決め手段は確立されていない。
【０００９】
本発明は上記事実を考慮し、ローディング機構部の機構上の制約により、自動的に位置決めすることができない位置、特に連続帳票用紙の先端近傍への位置決めができない場合でも、手作業による調整をすることなく、自動的に各単位用紙の先端基準によるプリントを実行することができるプリンタ装置を得ることが目的である。
【課題を解決するための手段】
【００１０】
本発明は、単位用紙が連結された長尺の連続帳票用紙を、当該連続帳票用紙の長手方向搬送路に沿って搬送する搬送手段と、前記連続帳票用紙を搬送手段の搬送路へセットするためのローディング機構部と、前記ローディング機構部におけるローディング時に、連続帳票用紙の先端よりも所定量下流側を停止基準位置としてローディング動作を制御するローディング実行手段と、前記連続帳票用紙の各単位用紙の基準位置を検出する基準位置検出センサと、前記搬送路における前記基準位置検出センサよりも下流側に設けられた記録ヘッドとを備え、前記基準位置検出センサによって前記基準位置の検出時期に基づいて、前記記録ヘッドによる画像記録を実行し、改ページを繰り返しながら各単位用紙に画像を記録するプリンタ装置であって、前記基準位置検出センサによる前記基準位置が各単位用紙の先端である場合に、前記ローディング機構部によるローディング後に、通常の改ページの移動量から前記所定量を減算した移動量で改ページを実行する初期改ページ実行手段を有している。
【００１１】
一般に用紙をローディングするプリンタにおいて、ローディング動作実行手段により動作するローディング機構部では、その機構上、停止基準が、連続帳票用紙の先端よりも所定量下流側となる。
【００１２】
一方、基準位置検出センサによる前記基準位置が各単位用紙の先端である場合に、前記ローディング機構部による停止基準では、行き過ぎてしまっており、手作業で連続帳票用紙の位置をミシン目位置に合わせる必要があった。そこで、初期改ページ実行手段では、各単位用紙の先端を基準位置とした場合に、前記ローディング機構部によるローディング後に、通常の改ページの移動量から前記所定量を減算した移動量で改ページを実行する。
【００１３】
これにより、連続帳票用紙の最初の単位用紙は無駄になるが、手作業による連続帳票用紙の後退作業の手間が省け、プリント処理効率を向上することができる。なお、無駄になる最初の単位用紙は、連続帳票用紙の全体が数１００〜数１０００枚の内の１枚であり、比率としては極めて低く、処理効率を優先する方が有利となる。
【００１４】
上記発明において、前記ローディング実行手段によるローディング動作による連続帳票用紙の移動と、前記初期改ページ実行手段による連続帳票用紙の移動と、が連続して実行されることを特徴としている。
【００１５】
ローディング実行手段によるローディング動作による連続帳票用紙の移動と、初期改ページ実行手段による連続帳票用紙の移動と、を連続して実行することで、一旦停止して再度動作させる手間が省け、かつ時間的ロスも軽減することができる。
【発明の効果】
【００１６】
以上説明した如く本発明では、ローディング機構部の機構上の制約により、自動的に位置決めすることができない位置、特に連続帳票用紙の先端近傍への位置決めができない場合でも、手作業による調整をすることなく、自動的に各単位用紙の先端基準によるプリントを実行することができるという優れた効果を有する。
【発明を実施するための最良の形態】
【００１７】
図１には、本実施の形態に係るプリンタ装置１０の概略図が示されている。
【００１８】
このプリンタ装置１０は、連続帳票用紙１２へのプリントが可能な構成となっている。
【００１９】
連続帳票用紙１２は、長尺の記録用紙に、その長手方向に向けて均等ピッチにミシン目が施され、当該ミシン目間（先端及び後端とミシン目間を含む）が単位用紙とされている。また、このミシン目を境に所謂山折り、谷折りが交互になされることで、単位用紙が層状に畳まれており、所定位置（装置下部）に載置されるようになっている。
【００２０】
この連続帳票用紙１２は、その先端部がローディング機構部１３によりオートローディング（自動初期搬送）され、複数対の搬送ローラ１４（図１では、２対図示）に挟持されることで画像記録部１６へ搬送されるようになっている。
【００２１】
ローディング機構部１３はコントローラ１８からの指示で実行され、前記数対の搬送ローラ１４は、コントローラ１８によって制御される搬送系制御部２０からの信号で駆動する駆動源（モータ等）により回転し、この回転力によって、連続帳票用紙１２を画像記録部１６へ順次送り出す構造となっている。このとき、前記装置下部に載置されている連続帳票用紙１２は、前記谷折り、山折りが上層から徐々に解除され、ほぼ直線的に搬送されながら、画像記録部１６へ送り出される。なお、コントローラ１８には、ＵＩ（ユーザインタフェース）１９が接続されている。ＵＩ１９は、プリント指示、ローディング指示等の指示操作、並びにプリンタ装置１０の情報を表示する機能を有している。
【００２２】
また、搬送ローラ１４による送り出しは、前記ミシン目ピッチで搬送されるようになっており、通常は、予め設定された動作量Ｌnormal（＝ミシン目ピッチ）で搬送され、この１回の動作を改ページ（改頁）動作ということができる。
【００２３】
画像記録部１６は、連続帳票用紙１２を周面の一部に巻き付けることで、連続帳票用紙１２の搬送路を一義的に特定するドラム２２と、前記ドラム２２における連続帳票用紙１２の巻き掛け位置の一部に対向した配設された記録ヘッド２４とで構成されている。
【００２４】
ドラム２２は、前記搬送ローラ１４と共に駆動力を受けており、周面の線速度（すなわち、連続帳票用紙１２の搬送速度）が、前記搬送ローラ１４による搬送速度とほぼ同一に設定されている。また、ドラム２２には、連続帳票用紙１２の巻き付け開始位置並びに巻き付け終了位置に押圧ローラ２６、２８が配設されており、この押圧ローラ２６、２８間の連続帳票用紙１２は、ドラム２２の周面に確実に密着され、記録ヘッド２４との対向面を通過するようになっている。
【００２５】
記録ヘッド２４は、前記ドラム２２の軸線方向に沿って移動可能なドットインパクト形式の記憶ヘッドが適用されている。また、記録ヘッド２４には、ヘッド先端を挟むように一対の小径ローラ２４Ａ、２４Ｂが配設されている。この内、下流側の小径ローラ２４Ｂとドラム２２とで連続帳票用紙１２の先端が挟持されることで連続帳票用紙１２を安定して（ドラム２２の周面から浮かせることなく）記録ヘッド２４に対向させることが可能となる（ローディング時の機構上の制約）。
【００２６】
このため、連続帳票用紙１２の先端（すなわち、ミシン目基準ピッチの初期位置）から所定量（記録ヘッド２４による記録位置と下流側の小径ローラ２４Ｂとの間の搬送長Δ）ずれた位置（図３の自動ローディング停止位置）でローディングが終了することになる。
【００２７】
記録ヘッド２４には、ヘッド駆動制御部３０が接続されており、コントローラ１８から送られる画像データに基づいて、記録ヘッド２４を駆動し、連続帳票用紙１２への画像記録を実行する。
【００２８】
ここで、記録ヘッド２４からは、画像データが１ライン毎に出力され、これに同期してドラム２２が回転（連続等速回転又は間欠等ピッチ回転）することで、連続帳票用紙１２への画像記録が実行される。
【００２９】
前記ドラム２２への巻き付け終了位置に設けられた押圧ローラ２８の下流側には、一対の搬送ローラ３２が設けられており、画像記録が終了した連続帳票用紙１２を排出口（図示省略）方向へ案内搬送する。この排出口から排出された連続帳票用紙１２は、谷折り、山折りによってできた癖を利用して、再度交互に谷折り、山折りが繰り返され、層状に積み重ねられるようになっている。
【００３０】
ここで、本実施の形態では、小径２４Ｂと、記録ヘッド２４の間に、基準位置検出センサ３４（＝用紙先端検出センサ）が配設されている。
【００３１】
基準位置検出センサ３４は、前記連続帳票用紙１２のそれぞれの単位用紙毎に設けられたマーク３８（図３参照）を検出することで、位置を認識し、基準位置検出センサ３４と記録ヘッド２４による画像記録位置との間の搬送長と搬送速度とに基づいて、ヘッド駆動制御部３０での画像記録タイミングを得ている。
【００３２】
基準位置検出センサ３４は、前記連続帳票用紙１２が記録ヘッド部にあるかどうかを示すセンサである。
【００３３】
ところで、図５のように自動ローディングにて停止した位置より上流側に印刷したいデータがある場合がある。このような場合、１枚目の単位用紙の先端は、ローディングの機構上の制約で、前記記録ヘッド２４の下流側に位置しているため、このままでは、適正なプリントができない。
【００３４】
そこで、本実施の形態（請求項１の発明）では、このローディングによる機構上の制約があっても、ミシン目基準でのプリントが可能となるように、ローディング直後に、前記通常の改ページ（改頁）とは異なる移動量Ｌnormalから前記所定量Δ分を差し引いた初期移動量Ｌfirstで改ページを実行し、２枚目の先端（ミシン目）を基準に停止させ、プリント書き出し位置が記録ヘッド２４の上流側となるように停止させ、この２枚目を第１ページ目として適用するようにした（１枚目は破棄）。
【００３５】
図２は、コントローラ１８における、ローディング、改ページ、プリントを実行するための制御を機能的に示したブロック図である。なお、図２の各ブロックは所謂ハード構成を特定するものではなく、あくまでも機能別に示したものであり、１つのブロックが複数の電子部品で構成される場合もあるし、２つ以上のブロックが単一の電子部品（例えば、ＡＳＩＣ等のＩＣチップ）で構成される場合もある。
【００３６】
コントローラ１８の入力解析部１００及び情報出力部１０２には、ＵＩ（ユーザインタフェース）１９が接続されている。
【００３７】
入力解析部１００では、ＵＩ１９の操作に基づく信号が入力されることで、当該入力信号を解析する。ここでは、プリント指示の信号か、ローディング機構部１３の動作を指示する信号かを見極める。
【００３８】
また、情報出力部１０２には動作状態監視部１０４が接続されており、動作状態監視部１０４では、図示は省略したが、プリント装置１０の各部の動作状態に関する情報が入力され、この入力情報に基づく報知情報（紙切れ、紙詰まり、センサ異常等のエラー情報等）を情報出力部１０２へ送出する。
【００３９】
情報出力部１０２では、前記報知情報をＵＩ１９へ送出することで、ＵＩ１９上の表示部（図示省略）に当該報知情報が表示されるようになっている。
【００４０】
前記入力信号解析部１００は、ローディング機構動作制御部１０６と接続されており、ＵＩ（装置のオペレータパネル）からの操作を解析し、ローディング機構動作制御部１０６に指示する。
【００４１】
ローディング機構動作制御部１０６に入力信号解析部１００からローディング動作指示信号が入力すると、ローディング機構部１３の動作を開始させる。このとき、ローディング機構動作制御部１０６には、前記基準位置検出センサ３４が接続されており、ローディング機構部１３では、この基準位置検出センサ３４による検出信号に基づいて、連続帳票用紙１２を位置決めする。
【００４２】
このローディング機構部１３によるオートローディングは、前述したように、連続帳票用紙１２の先端が記録ヘッド２４を所定量Δ通過した位置で停止され、下流側の小径ローラ２４Ｂとドラム２２との間に確実に連続帳票用紙１２が挟持された状態である。
【００４３】
一方、プリント実行指示部１０８は、画像データ読出部１１０と差分Δ演算部１１２、並びにヘッド駆動制御部３０のプリント実行制御部１１４に接続されている。
【００４４】
プリント実行指示部１０８にプリント指示が入力されると、画像データ読出部１１０へ実行信号を送出する。これにより、画像データ読出部１１０では、画像データメモリ１１６から画像データを読み出す。この画像データメモリ１１６には、予め外部からデータ解析部を通して画像データが入力され、記憶されている。
【００４５】
画像データ読出部１１０で読み出した画像データは、１ライン毎にヘッド駆動制御部３０のドットデータラインバッファ１２０へ送出する。
【００４６】
ここで、プリント実行制御部１１４では、ドットデータラインバッファ１２０から１ラン分のプリントデータを読み出し、所定のタイミング（搬送系制御部２０からの同期信号）で出力部１２１から出力させる。
【００４７】
１ページ分のプリントが終了すると、プリント実行制御部１１４では、通常改頁実行部１２２へ改頁指示信号を送出する。これにより、通常改頁実行部１２２では、搬送系制御部２０を制御して、移動量Ｌnormal分の改頁を実行する。
【００４８】
ところで、上記プリント指示に用紙先端を基準とする要求が含まれている場合、第１ページ目のプリントの際、オートローディングされた連続帳票用紙１２の書き出し基準位置が記録ヘッド２４を通り過ぎた状態となっているため、先端基準の書き出しが実行できないことになる。
【００４９】
そこで、本実施の形態（請求項３に記載の発明）では、Δ分の中に印刷したいデータがある場合、印刷動作の前に、まず以下のような手続きを行い、Lfirst分の改頁動作を行う。
【００５０】
プリント実行指示部１０８から指示された差分Δ演算部１１２は、前記ローディング機構動作制御部１０６からローディング時の動作量データを受け取り、所定量Δを演算する。なお、基本的には、所定量Δは一定位置であるため、予め記憶しておいてもよい。
【００５１】
差分Δ演算部１１２は、Ｌfirst演算部１２４と接続されている。このＬfirst演算部１２４には、改頁動作量Ｌnormalメモリ１２６が接続されている。これにより、Ｌfirst演算部１２４では、前記所定量ΔとＬnormalとに基づいてＬfirstを演算する。
【００５２】
Ｌfirst＝Ｌnormal−Δ・・・（１）
Ｌfirst演算部１２４で演算された結果は、初回改頁実行部１２８へ送出される。この初回改頁実行部１２８では、搬送系制御部２０を制御して、移動量Ｌfirst分の改頁を実行する。
【００５３】
この初回の改頁では、図３に示される如く、ミシン目ピッチよりもΔ分少ない移動量となるため、改頁後は、書き出し位置が停止位置よりも上流側となり、２枚目以降の単位用紙から用紙先端基準におけるプリントが可能となる。
【００５４】
言い換えれば、連続帳票用紙１２の１枚目は破棄されることになるが、手作業で１枚目の位置を調整する手間、処理効率を考えれば、数１００枚から数１０００枚の単位用紙で構成される連続帳票用紙１２の１枚を破棄する方が有効である。
【００５５】
以下に本実施の形態（請求項１に記載の発明）の作用を図４のフローチャートに従い説明する。
【００５６】
ステップ１４８では、ＵＩからの操作があったか否かが判断される。ステップ１４８で肯定判定されると、ステップ１５０へ移行してローディング指示があったか否かが判断され、否定判定されると、ステップ１５２へ移行して連続帳票用紙１２が既にプリンタ装置１０にセットされているか否かを判断する。このステップ１５２で肯定判定されると、後述するステップ１６６へ移行する。また、ステップ１５２で否定判定されるとステップ１５０へ戻る。
【００５７】
また、このステップ１５０で肯定判定されると、ステップ１５４へ移行してローディング動作を実行する。
【００５８】
ステップ１５４でのローディング動作が完了するとステップ１５５へ移行してＵＩからの改ページが有るか否かが判断され、肯定判定されるとステップ１５６へ移行し、用紙先端基準のプリントが要求されているか否かが判断される。
【００５９】
また、ステップ１５５で否定判定されると、ステップ１５７へ移行して、印刷データの受信を待ち、受信されると後述するステップ１６６へ移行する。
【００６０】
このステップ１５６で否定判定されると、そのまま印刷してもよいプリントであると判断され、後述するステップ１６６へ移行する。
【００６１】
また、ステップ１５６で肯定判定されると、前記ローディング動作による位置決めでは、書き出し位置が記録ヘッドの下流側となっているため、１枚目を破棄し、２枚目からプリントするべく、ステップ１５８へ移行して、ローディング動作停止位置と用紙先端位置との差分Δを演算する。なお、この差分Δはプリント装置毎に一定であるため、予め記憶しておき、読み出すようにしてもよい。
【００６２】
次のステップ１６０では、通常の改ページ搬送量Ｌnormalを読み出し、次いでステップ１６２で初回の改ページ搬送量Ｌfirstを前記（１）式に基づき演算し（Ｌfirst＝Ｌnormal−Δ）、ステップ１６４へ移行する。
【００６３】
ステップ１６４では、前記ステップ１６２で演算された搬送量Ｌfirstで改ページを実行し、ステップ１６５へ移行して印刷データの受信を待つ。印刷データの受信があると（ステップ１６５での肯定判定）、ステップ１６６へ移行する。なお、このステップ１６６には、前記ステップ１５２の肯定判定、ステップ１５６の否定判定においても移行される。ステップ１６６では、プリントを実行する。
【００６４】
すなわち、画像データからプリンタ装置１０に対応したプリントデータに変換し、１ライン毎のプリントデータをヘッド駆動制御部３０へ送出し、搬送系制御部２０からの同期信号に基づいて、連続帳票用紙１２を１ラインずつ移動しながらプリントを実行する。
【００６５】
ここで、１ページ分のプリントが終了すると、ステップ１６８へ移行して次ページの印刷データが有るか否かが判断され、肯定判定されるとステップ１７０へ移行して、連続帳票用紙１２がセットされている（残っている）ことを確認（肯定判定）して、ステップ１７２へ移行し、通常の移動量Ｌnormalで改ページを実行し、ステップ１６６へ戻る。また、ステップ１７０で連続帳票用紙１２がなくなったと判断（否定判定）されると、ステップ１５０へ戻る。
【００６６】
なお、ステップ１７２において、次ページの先頭まで用紙が移動していない場合、改ページ動作を実行する。
【００６７】
以上説明したように本実施の形態では、オートローディングにより、連続帳票用紙１２をローディングすると、その停止位置が、用紙先端基準によるプリント要求があったときの書き出し開始位置よりも上流側となっているため（書き出し位置が記録ヘッド２４を通過しているため）、この１枚目の単位用紙を破棄し、２枚目の先端であるミシン目を基準として位置決めするべく、通常の改ページの移動量Ｌnormalから、オートローディング時の連続帳票用紙１２の先端と停止位置との差分Δを差し引いた移動量Ｌfirstで改ページを実行する。
【００６８】
これにより、２枚目の単位用紙では、書き出し位置が記録ヘッド２４の上流側となるため、先端基準要求に対応することができる。
【００６９】
１枚目は破棄されるが、これに代わり、手作業による手間を省くことができ、処理効率を向上することができる。
【００７０】
なお、本実施の形態図４では、オートローディング動作の後、一旦停止して初回の改ページ動作を実行したが、これらの動作は請求項２のように連続して実行してもよい。
【００７１】
さらに、請求項３のように、印刷データの内容により、用紙先端が基準であることを前提として判別し、印刷位置がローディングされた位置より上流側の場合Ｌfirst分の改頁を行い、印刷位置が下流側になる場合は、その最初の印刷位置までの用紙搬送動作を
Δ分減らしてそのまま印刷を継続するという方法もある。
【００７２】
また、本実施の形態では、オートローディングの制約上の問題から、所定量の差分Δを差し引いて初回の改ページを実行したが、特に先端基準にこだわらず、所望の基準位置と停止位置との差分Δ'をその都度演算して、初回の改ページ移動量を決めるようにしてもよい。
【００７３】
さらに、本実施の形態では、ドットインパクト形式の記録ヘッド２４を例にとり説明したが、ＬＥＤを用いたライン状記録ヘッドにより、例えば、インクリボン或いは感熱紙による熱転写方式でプリントする構造であってもよい。
【００７４】
また、ドラム２２を感光体ドラムとして、予め光りビームによって静電潜像を形成した後トナー現像し、連続帳票用紙１２を感光体ドラムに密着搬送することでトナー像を連続帳票用紙１２に転写する、電子写真方式であってもよい。
【図面の簡単な説明】
【００７５】
【図１】本実施の形態に係るプリンタ装置の概略構成図である。
【図２】コントローラにおける、ローディング、改ページ、プリントを実行するための制御を機能的に示したブロック図である。
【図３】本実施の形態に係る連続帳票用紙のローディング状態並びにその後の搬送状態を示す正面図である。
【図４】本実施の形態に係るローディング、書き出し位置補正を含むプリント制御ルーチンを示すフローチャートである。
【図５】従来に係る連続帳票用紙のローディング状態並びにその後の搬送状態を示す正面図である。
【符号の説明】
【００７６】
１０    プリンタ装置
１２    連続帳票用紙
１３    ローディング機構部
１４    搬送ローラ
１６    画像記録部
１８    コントローラ
１９    ＵＩ
２０    搬送系制御部（搬送手段）
２２    ドラム
２４    記録ヘッド
２４Ａ、２４Ｂ    小径ローラ
２６、２８    押圧ローラ
３０    ヘッド駆動制御部
３２    搬送ローラ（搬送手段）
３４    基準位置検出センサ
３８    マーク
１００    入力解析部
１０２    情報出力部
１０４    動作状態監視部
１０６    ローディング機構動作制御部（ローディング実行手段）
１０８    プリント実行指示部
１１０    画像データ読出部
１１２    差分Δ演算部
１１４    プリント実行制御部
１１６    画像データメモリ
１１８    プリントデータ生成部
１２０    ドットデータラインバッファ
１２１    出力部１
１２２    通常改頁実行部
１２４    Ｌfirst演算部
１２６    改頁動作量Ｌnormalメモリ
１２８    初回改頁実行部（初期改ページ実行手段）
【図１】
2007083618.tif 000003
【図２】
2007083618.tif 000004
【図３】
2007083618.tif 000005
【図４】
2007083618.tif 000006
【図５】
2007083618.tif 000007